(57)【要約】【課題】医療システムを提供する。【解決手段】少なくとも１つのセンサであって、患者の生理的状態を監視し、生理的状態に基づいてセンサデータを生成するように構成された、少なくとも１つのセンサと、ユーザインタフェースデバイスと、ユーザインタフェースデバイスに通信可能に結合されたプロセッサとを含む。プロセッサは、２つ以上の考えられる入力要素であって、それぞれが、患者の区分または診断および処置経路を含む、２つ以上の考えられる入力要素のアレイを、ユーザインタフェースデバイスを介して提示し、２つ以上の考えられる入力要素の間で、ユーザ選択に基づいて、選択された入力要素を受信し、生理的データを生成するために、センサデータを採取し、センサデータを処理し、選択された入力要素についてカスタマイズされるテンプレートに従って、生理的データをユーザインタフェースデバイスを介して提示するように構成される。【選択図】図４
2018060559.tif 000002
【特許請求の範囲】
【請求項１】
患者の生理的状態を監視し、前記生理的状態に基づいてセンサデータを生成する少なくとも１つのセンサと、
ユーザインタフェースデバイスと、
前記ユーザインタフェースデバイスに通信可能に結合されたプロセッサと、を備え、前記プロセッサは、
前記ユーザインタフェースデバイスに、ユーザに、患者の区分、潜在的なワークフロー、及び診断及び処置経路の間で選択させるために、２又はそれより多くの考えられる入力要素を提示させ、選択される前記患者の区分、潜在的なワークフロー、及び診断及び処置経路は、
呼吸窮迫または呼吸困難と、
外傷と、
のうちの少なくとも１つを含み、
前記２又はそれより多くの考えられる入力要素の間で、ユーザの選択に基づいて、選択された入力を受信し、
前記センサデータを取得し、前記センサデータを処理して生理的データを生成し、
前記ユーザインタフェースデバイスに、前記選択された患者の区分、潜在的なワークフロー、及び診断及び処置経路に少なくとも部分的に基づくテンプレートに従って前記生理的データを提供し、
前記テンプレートを、前記選択された患者の区分、潜在的なワークフロー、及び診断及び処置経路に少なくとも部分的に基づく前記生理的データが提供されるところに従ってカスタマイズする、
医療システム。
【請求項２】
前記ユーザインタフェースデバイスは、ユーザインターフェーススクリーンであり、前記プロセッサは、さらに、前記ユーザインターフェーススクリーン上に前記２又はそれより多くの考えられる入力要素を表示し、前記プロセッサは、さらに、前記ユーザインターフェーススクリーン上に前記テンプレートに従って前記生理的データを表示する、請求項１に記載の医療システム。
【請求項３】
前記選択された入力要素は、１又は複数のスイッチの起動に基づいて選択される、請求項１又は２に記載の医療システム。
【請求項４】
前記ユーザインタフェースデバイスは、タッチ起動式スクリーンであり、前記選択された入力要素は、前記タッチ起動式スクリーンへのタッチに基づいて選択される、請求項１から３のいずれか一項に記載の医療システム。
【請求項５】
前記少なくとも１つのセンサは、ＥＣＧセンサ、ＳｐＯ２センサ、ＮＩＲ組織潅流センサ、ＮＩＲ  ｐＨセンサ、超音波センサ、換気流量センサ、ＥｔＣＯ２センサ、侵襲的血圧センサ、非侵襲的血圧センサ、血糖モニタ、及び気道酸素センサのうちの１又は複数である、請求項１から４のいずれか一項に記載の医療システム。
【請求項６】
前記プロセッサは、さらに、前記タッチ起動式スクリーン上の２点に同じ手で同時にタッチすることにより生成されるキャリパジェスチャ信号を受信し、前記キャリパジェスチャ信号を受信すると、前記生理的データ上に測定データを重ね合わせる、請求項４に記載の医療システム。
【請求項７】
前記ユーザインタフェースデバイスは、視覚入力デバイスを含み、前記プロセッサは、さらに、前記視覚入力デバイスを介して受信されるジェスチャを前記選択された入力要素を示すものとして認識する、請求項１から６のいずれか一項に記載の医療システム。
【請求項８】
選択される前記患者の区分、潜在的なワークフロー、及び診断及び処置経路は、
変化した精神状態と、
心筋梗塞と、
痛み又は異常神経知覚と、
のうちの少なくとも１つを含む、請求項１から７のいずれか一項に記載の医療システム。
【請求項９】
選択される前記患者の区分、潜在的なワークフロー、及び診断及び処置経路は、
呼吸窮迫または呼吸困難と、
変化した精神状態と、
心筋梗塞と、
外傷と、
痛み又は異常神経知覚を含む、請求項１から８のいずれか一項に記載の医療システム。
【請求項１０】
モバイルコンピューティングデバイスをさらに備える、請求項１から９のいずれか一項に記載の医療システム。
【請求項１１】
前記プロセッサは、前記モバイルコンピューティングデバイスの一部である、請求項１０に記載の医療システム。
【請求項１２】
前記モバイルコンピューティングデバイスは、ｉＰａｄ（登録商標）タブレットコンピュータ、ｉＰｈｏｎｅ（登録商標）、手持ち式コンピューティングデバイス、スマートフォン、タブレット／タッチモニタ、又はＵＳＢタッチモニタである、請求項１０又は１１に記載の医療システム。
【請求項１３】
前記ユーザインタフェースデバイスは、前記モバイルコンピューティングデバイスの一部である、請求項１０から１２のいずれか一項に記載の医療システム。
【請求項１４】
除細動器をさらに備える、請求項１０から１３のいずれか一項に記載の医療システム。
【請求項１５】
前記ユーザインタフェースデバイスは、前記除細動器の一部である、請求項１４に記載の医療システム。
【請求項１６】
前記モバイルコンピューティングデバイスは、保護ハウジングを含み、前記保護ハウジングは第１の搭載機能部を含み、前記医療システムは、前記第１の搭載機能部に嵌合する第２の搭載機能部をさらに備える、請求項１０から１５のいずれか一項に記載の医療システム。
【請求項１７】
前記少なくとも１つのセンサは、前記患者の複数の心音を監視する、請求項１から１６のいずれか一項に記載の医療システム。
【請求項１８】
前記少なくとも１つのセンサは、前記患者の呼吸音を監視する、請求項１から１７のいずれか一項に記載の医療システム。
【請求項１９】
前記プロセッサは、さらに、ゼーゼー音、ぱちぱち音、水泡音、及び喘鳴呼吸音を区別する、請求項１から１８のいずれか一項に記載の医療システム。
【請求項２０】
前記少なくとも１つのセンサは近赤外線ベースのセンサである、請求項１から１９のいずれか一項に記載の医療システム。
【請求項２１】
前記少なくとも１つのセンサは、前記患者の組織又は血液のｐＨを測定する、請求項１から２０のいずれか一項に記載の医療システム。
【請求項２２】
前記少なくとも１つのセンサは、ＥＣＧセンサであり、前記生理的データは心拍数変動を反映する、請求項１から２１のいずれか一項に記載の医療システム。
【請求項２３】
前記少なくとも１つのセンサは、血糖センサであり、前記生理的データは目下の血糖レベルを反映する、請求項１から２２のいずれか一項に記載の医療システム。
【発明の詳細な説明】
【技術分野】
【０００１】
本発明の実施形態は、一般に、急性期介護処置を容易にするためのツールに関し、より
具体的には、臨床決定支援および鑑別診断のためのシステムおよび方法に関する。
【背景技術】
【０００２】
入院前および急性期介護処置の状況では、医療対応者は、特定の患者の適切な診断を正
確に決定するときに困難さを有することが多い。よく訓練された医師でさえも、制限され
た情報によってほんの一瞬での決定が必要とされる緊急事態条件下で困難さを有すること
が多い。コンピュータ自動化診断は、現場と病院の両方の患者の処置についての正確さ、
有効性、および信頼性を改善するために開発された。
【０００３】
自動化鑑別診断は、ベイジアンアルゴリズム、ニューラルネットワーク、または遺伝的
アルゴリズムなどのコンピュータ推論アルゴリズムを利用する。
【０００４】
ベイジアンネットワークは、変数のセットおよび疾病と症状との間のその確率的関係を
示す知識ベースのグラフィカル表現である。確率的関係は、条件付き確立、診断テストの
解釈などの別の事象が発生した場合の事象の確率に基づく。ベイズの規則は、より容易に
入手可能な情報を使用して、事象の確率を計算するのに役立ち、新しい情報が提示される
と、常にオプションを処理する。ＣＤＳＳ［臨床決定支援システム(clinical decision s
upport system)］の文脈では、ベイジアンネットワークは、その症状がある場合の考えら
れる疾病の存在の確率を計算するように使用されうる。ベイジアンネットワークの利点の
一部は、確率の形態でのエキスパートの知識および結論、新しい情報を入手可能であると
きの意思決定の補助を含み、また、多くのモデルに適用可能である不偏の確率に基づく。
ベイジアンネットワークの欠点の一部は、考えられる診断について確率知識を得る困難さ
および複数の症状がある場合に大規模複雑システムにとって実用的でないことを含む。複
数の同時的な症状に関するベイジアン計算は、ユーザにとって途方もなく大量でありうる
。ＣＤＳＳの文脈でのベイジアンネットワークの例は、提供される症状に応じて、考えら
れる診断の事後確率を計算するためにベイジアンリーズニングを利用するＩｌｉａｄシス
テムである。システムは、現在、数千の所見に基づいて約１５００の診断をカバーする。
別の例は、ベイジアンロジックの修正形態を使用するＤＸｐｌａｉｎシステムである。Ｃ
ＤＳＳは、症状に関連するランク付けされた診断のリストを生成する。
【０００５】
人工ニューラルネットワーク(Artificial Neural Network)（ＡＮＮ）は、機械学習と
して知られる人工知能の形態を使用する非知識ベースの適応型ＣＤＳＳであり、システム
が、過去の経験／例から学習し、臨床情報においてパターンを認識することを可能にする
。ＡＮＮは、神経細胞（neurodes）と呼ばれるノード、および、神経細胞間で一方向に信
号を送信する重み付き接続からなる。ＡＮＮは、３つの主要な層、すなわち、入力層(Inp
ut)（データ受信器または所見）、出力層(Output)（結果または考えられる診断を通信す
る）、および中間層(Hidden)（データを処理する）からなる。システムは、大量のデータ
について結果がわかっていることによってより効率的になる。ＡＮＮの利点は、システム
をプログラムする必要性、および、エキスパートからの入力を提供する必要性をなくすこ
とを含む。ＡＮＮ  ＣＤＳＳは、その適応的システム学習によって、抜けているデータに
ついての知識に基づいた推測、および、全ての使用について改善を行うことによって不完
全なデータを処理しうる。さらに、ＡＮＮシステムは、その関連する確率と共に結果デー
タを記憶するために大きなデータベースを必要としない。その欠点の一部は、訓練プロセ
スに時間がかかり、ユーザがシステムを効率的に利用しないようにさせる。ＡＮＮシステ
ムは、統計的認識パターンに基づいてデータに重み付けしデータを結合するための自分自
身の公式を導出し、その公式は、解釈するのが難しく、システムの信頼性に疑いをかける
場合がある。例は、虫垂炎、背部痛、心筋梗塞、精神科救急、および皮膚障害の診断を含
む。ＡＮＮの肺塞栓症の診断予測は、場合によっては、医師の予測よりずっとよかった。
さらに、ＡＮＮベースのアプリケーションは、ＥＣＧ（ａ．ｋ．ａＥＫＧ）波形の解析に
おいて有用であった。
【０００６】
遺伝的アルゴリズム(Genetic Algorithm)（ＧＡ）は、適者生存(survival of the fitt
est)を扱うダーウインの進化理論に基づいてマサチューセッツ工科大学(Massachusetts I
nstitute of Technology)で１９４０年代に開発された非知識ベースの方法である。これ
らのアルゴリズムは、以前の解より良好である、異なる組換えを形成するために再編成す
る。ニューラルネットワークと同様に、遺伝的アルゴリズムは、患者データからその情報
を導出する。遺伝的アルゴリズムの利点は、最適解を生成するためにこれらのシステムが
反復プロセスを経ることである。適合関数は、良好な解と削除されうる解を決定する。欠
点は、決定支援システムの場合に関係するリーズニングにおける透明性の欠如であり、決
定支援システムを医師にとって望ましくないものにする。遺伝的アルゴリズムを使用する
ときの主要な難題は、適合基準を規定することにある。遺伝的アルゴリズムを使用するた
め、問題を解くために入手可能な、複数の薬物、症状、処置治療などのような多くのコン
ポーネントが存在しなければならない。遺伝的アルゴリズムは、女性の尿失禁の診断にお
いて有用であることが証明された。
【０００７】
自動化鑑別診断システムは、開発され、これまで３５年以上にわたって実装されるよう
に試みられたにもかかわらず、急性期介護処置(Acute Care Treatment)（ＡＣＴ）につい
ての緊急医療状況における容認を全く獲得しなかった。主に、この失敗は、急性期状態の
緊急介護がその下で実施される条件による。外傷、心停止、または呼吸停止などの状況で
は、意思決定の速度が重要であり、介護者は、患者と生理的モニターと除細動器との間で
自分の時間および注意をすでに分けなければならない。こうした状況では、自動化鑑別診
断(Automated Differential Diagnosis)（ＡＤＤ）ツールは、介護プロセスに干渉するも
のとして、また、患者への処置に対する遅延として見なされることが多い。心停止の場合
などで、１分ごとに生存率の１０％の低下がもたらされうる場合、ＡＤＤツールを自身を
支援するように設計したまさにその人々によってＡＤＤが無視されることは意外ではない
。
【０００８】
家族構成員が損傷時に存在しないことが多い入院前の状況で患者が処置されることが多
いため、急性期医療状態時に患者の医療履歴が介護者によってアクセスできないこともわ
かった。
【発明の概要】
【課題を解決するための手段】
【０００９】
本発明の実施形態は、介護者が、鑑別診断をより効率的にかつ正確に実施するためのツ
ールであって、緊急状況中に介護者の既存のワークフローに統合されるツールを提供する
システムを含む。本発明の実施形態はまた、自動化された方法で、治療処置および患者履
歴および検査所見と共に、患者からの生理的データの統合ビューを介護者に提供すること
ができる。
【００１０】
本発明の実施形態による医療システムは、少なくとも１つのセンサであって、患者の生
理的状態を監視し、生理的状態に基づいてセンサデータを生成するように構成された、少
なくとも１つのセンサと、ユーザインタフェースデバイスと、ユーザインタフェースデバ
イスに通信可能に結合されたプロセッサとを含み、プロセッサは、２つ以上の考えられる
入力要素であって、それぞれが、患者の区分または診断および処置経路を含む、２つ以上
の考えられる入力要素のアレイを、ユーザインタフェースデバイスを介して提示し、２つ
以上の考えられる入力要素の間で、ユーザ選択に基づいて、選択された入力要素を受信し
、生理的データを生成するために、センサデータを採取し、センサデータを処理し、選択
された入力要素についてカスタマイズされるテンプレートに従って、生理的データを、ユ
ーザインタフェースデバイスを介して提示するように構成される。
【００１１】
選択された入力要素は、１つまたは複数のスイッチの起動に基づいて選択される段落［
００１０］の医療システム。
【００１２】
選択された入力要素は、タッチ起動式スクリーンにタッチすることに基づいて選択され
る段落［００１０］〜［００１１］のいずれか１つの段落の医療システム。
【００１３】
タッチ起動式スクリーンはユーザインタフェーススクリーンである段落［００１０］〜
［００１２］のいずれか１つの段落の医療システム。
【００１４】
少なくとも１つのセンサは、ＥＣＧセンサ、ＳｐＯ２センサ、ＮＩＲ組織潅流センサ、
ＮＩＲ  ｐＨセンサ、超音波センサ、換気流量センサ、ＥｔＣＯ２センサ、侵襲的血圧セ
ンサ、および非侵襲的血圧センサのうちの１つまたは複数である段落［００１０］〜［０
０１３］のいずれか１つの段落の医療システム。
【００１５】
プロセッサは、タッチ起動式スクリーン上の２点を同じ手で同時にタッチすることによ
って生成されるキャリパジェスチャ信号を受信し、キャリパジェスチャ信号を受信すると
、生理的データ上に測定データをオーバレイするようにさらに構成される段落［００１０
］〜［００１４］のいずれか１つの段落の医療システム。
【００１６】
２つ以上の考えられる入力要素のアレイは、呼吸窮迫または呼吸困難診断および処置経
路、精神状態変化診断および処置経路、心臓窮迫診断および処置経路、外傷診断および処
置経路、ならびに、痛みまたは異常神経知覚診断および処置経路のうちの少なくとも１つ
を含む段落［００１０］〜［００１５］のいずれか１つの段落の医療システム。
【００１７】
２つ以上の考えられる入力要素のアレイは、呼吸窮迫または呼吸困難診断および処置経
路、精神状態変化診断および処置経路、心臓窮迫診断および処置経路、外傷診断および処
置経路、ならびに、痛みまたは異常神経知覚診断および処置経路のうちの少なくとも１つ
を含む段落［００１０］〜［００１６］のいずれか１つの段落の医療システム。
【００１８】
タブレットコンピュータをさらに備える段落［００１０］〜［００１７］のいずれか１
つの段落の医療システム。
【００１９】
プロセッサはタブレットコンピュータの一部である段落［００１０］〜［００１８］の
いずれか１つの段落の医療システム。
【００２０】
タブレットコンピュータはｉＰａｄ（登録商標）タブレットコンピュータである段落［
００１０］〜［００１９］のいずれか１つの段落の医療システム。
【００２１】
ユーザインタフェーススクリーンはタブレットコンピュータの一部である段落［００１
０］〜［００２０］のいずれか１つの段落の医療システム。
【００２２】
除細動器をさらに含む段落［００１０］〜［００２１］のいずれか１つの段落の医療シ
ステム。
【００２３】
ユーザインタフェーススクリーンは除細動器の一部である段落［００１０］〜［００２
２］のいずれか１つの段落の医療システム。
【００２４】
タブレットコンピュータは保護ハウジングを含み、保護ハウジングは第１の搭載フィー
チャを含み、医療システムは、第１の搭載フィーチャに嵌合するように構成された第２の
搭載フィーチャをさらに含む段落［００１０］〜［００２３］のいずれか１つの段落の医
療システム。
【００２５】
２つ以上の考えられる入力要素のアレイは、呼吸窮迫または呼吸困難診断および処置経
路を含む段落［００１０］〜［００２４］のいずれか１つの段落の医療システム。
【００２６】
少なくとも１つのセンサは、患者の心音を監視するように構成される段落［００１０］
〜［００２５］のいずれか１つの段落の医療システム。
【００２７】
少なくとも１つのセンサは、患者の呼吸音を監視するように構成される段落［００１０
］〜［００２６］のいずれか１つの段落の医療システム。
【００２８】
プロセッサは、ゼーゼー音とぱちぱち音と水泡音と喘鳴呼吸音とを鑑別するようにさら
に構成される段落［００１０］〜［００２７］のいずれか１つの段落の医療システム。
【００２９】
少なくとも１つのセンサは近赤外線ベースのセンサである段落［００１０］〜［００２
８］のいずれか１つの段落の医療システム。
【００３０】
少なくとも１つのセンサは、患者の組織または血液のｐＨを測定するように構成される
段落［００１０］〜［００２９］のいずれか１つの段落の医療システム。
【００３１】
少なくとも１つのセンサは、ＥＣＧセンサであり、生理的データは心拍数変動を反映す
る段落［００１０］〜［００３０］のいずれか１つの段落の医療システム。
【００３２】
複数の実施形態が開示されるが、本発明のさらに他の実施形態が、本発明の例証的な実
施形態を示し述べる以下の詳細な説明から当業者に明らかになる。したがって、図面およ
び詳細な説明は、本質的に例証的であり、制限的でないと考えられるべきである。
【図面の簡単な説明】
【００３３】
【図１】本発明の実施形態による臨床決定支援システムを示す図である。
【図２】本発明の実施形態による医療デバイス用のユーザインタフェースを示す図である。
【図３】本発明の実施形態による、急性期介護診断モードの選択による図２のユーザインタフェースを示す図である。
【図４】本発明の実施形態による、呼吸窮迫モードの選択による図２および図３のユーザインタフェースを示す図である。
【図５】成人における急性呼吸困難についての鑑別診断概要を述べる表である。
【図６】呼吸困難の診断に対する手掛かりを述べる表である。
【図７】急性呼吸困難の診断における身体的検査所見を挙げる表である。
【図８Ａ】成人の息切れについての一般的な医療プロトコルおよび鑑別診断フローチャートの上部分である。
【図８Ｂ】図８Ａの一般的な医療プロトコルおよび鑑別診断フローチャートの継続部である。
【図９】本発明の実施形態による、ユーザによって選択されるときに、ユーザインタフェース上に表示することができる二酸化炭素のスナップショット波形を示す図である。
【図１０】本発明の実施形態による、表示された測定値と共に、図９の二酸化炭素のスナップショット波形を示す図である。
【図１１】本発明の実施形態による、除細動器デバイス上でドッキングされたタブレットコンピューティングデバイスを示す図である。
【図１２】心停止した患者において使用するためのプロトコルを示す図である。
【図１３】例示的な外傷評価プロトコルを示す図である。
【図１４】例示的な迅速外傷評価プロトコルを示す図である。
【図１５】例示的な的を絞った身体的検査プロトコルを示す図である。
【図１６】例示的な切断損傷プロトコルを示す図である。
【図１７】例示的な出血コントロールプロトコルを示す図である。
【図１８】例示的な熱傷プロトコルを示す図である。
【図１９】例示的な電撃症プロトコルを示す図である。
【図２０】例示的な脊椎固定プロトコルを示す図である。
【図２１】図２０の脊椎固定プロトコルにおけるさらなるステップを示す図である。
【図２２】例示的なマルチシステム外傷プロトコルを示す図である。
【図２３】例示的な溺水プロトコルを示す図である。
【図２４】例示的な妊娠時外傷プロトコルを示す図である。
【図２５】例示的な外傷性心停止プロトコルを示す図である。
【発明を実施するための形態】
【００３４】
本発明は、種々の変更形態および代替形態を受けるが、特定の実施形態が、図面におい
て例として示されており、以下で詳細に述べられる。しかし、意図するのは、述べる特定
の実施形態に本発明を制限しないことである。逆に、本発明は、添付特許請求の範囲によ
って規定される本発明の範囲内に入る全ての変更物、等価物、および代替物を包含するこ
とを意図される。
【００３５】
図１は、本発明の実施形態によるシステムのブロック図を示す。一実施形態では、マサ
チューセッツ州ケルムスフォード(Chelmsford Massachusetts)のＺＯＬＬ  Ｍｅｄｉｃａ
ｌ社によって製造されたＥシリーズなどの組合せ式の除細動器／モニターデバイスは、そ
のラベル表示が、オンスクリーンテキストによって提供されるキーを有する。そのため、
テキストは、ユーザによる入力によって、あるいは、除細動器、または、コンピュータタ
ブレットデバイス２１４またはコンピュータタブレットと通信状態にある医療派遣要員ま
たは医療監督要員が置かれるリモート基地局などの、除細動器の使用時に除細動器が通信
状態になる他のデバイスによる解析および意思決定の結果として、リアルタイムに構成可
能である。コンピュータタブレットは、ｉＰａｄ（Ａｐｐｌｅ  Ｃｏｒｐ．、カルフォル
ニア州クパチーノ(Cupertino CA)）の形態をとることができる。特定のソフトキー（soft
-keys）は、本発明の実施形態に従って、図２に示すように、デバイスに電源を供給した
場合に「急性期介護診断(Acute Care diagnosis)」と最初にラベル表示される。急性期介
護診断キーのキー押しを検出すると、除細動器は、キーの機能およびラベル表示を図３に
示す機能およびラベル表示に変更する。これら５つのラベル―「呼吸窮迫(Respiratory D
istress)」または別法として「呼吸困難(Dyspnea)」、「精神状態変化(Altered Mental S
tatus)」、「心臓窮迫(Cardiac Distress)」、「外傷(Trauma)」、および「痛み／異常神
経知覚(Pain/Abnormal Nerve Sensation)」―は、患者の区分と考えられるワークフロー
と診断および処置経路(Diagnosis and Treatment Pathway)（ＤＴＰ）とを特定する点で
、鑑別診断に関連する従来の症状と異なり、また、実際の実践でこれらの基準を満たす患
者に救急救命士(paramedics)および他の緊急要員が遭遇する相対的頻度で挙げられる。
【００３６】
各ＤＴＰについてソフトキーを押すことによって、除細動器は、特定の生理的センサを
起動させ、患者を最も正確にかつ効率的に診断し処置するために最適な方式で提示される
最適な情報を、介護者に提供するようにセンサデータを表示するように構成される。各Ｄ
ＴＰは、センサデータあるいはセンサデータから導出される生理的データおよび／または
測定データが、その特定のＤＴＰについて最も有用なおよび／または効率的な方法でそれ
に従って表示されるテンプレートを含むことができる。たとえば、「呼吸窮迫」ソフトキ
ーが押される場合、スクリーン上の波形および生理的数値データは、図４に示す波形およ
び生理的数値データに変わる。個々のＣＯ２呼吸波形の記憶されたスナップショットを、
ＣＯ２スナップショットソフトキーによって始動することができる。これらのスナップシ
ョットは、診断のために測定を自動化すると共に特定の理論の有効性を評価するために、
ディスプレイ上に残されて臨床医に参照される。
【００３７】
心音測定および検出は、Ｓ３およびＳ４心音の検出のためにモニタリングデバイスに組
込まれ、自動的に、その鑑別を絞るか、または、救助者が心不全または肺浮腫のソフトウ
ェア診断への同意を確認することを提案する。心音を評価するためのフローチャートは、
図８Ａおよび図８Ｂに示される。パルスオキシメトリおよびカプノグラフィもまた、非常
に役立つ方策であり、より正確な診断のためにアルゴリズムに自動的に組込むことができ
る。心音を検出するために使用される同じセンサを、同様に、呼吸音を検出し、その品質
を解析するように使用することができる。特定のアルゴリズムが使用されて、それぞれが
特定の疾病を示す可能性があるゼーゼー音（wheezing）、ぱちぱち音（crackle）、水泡
音（rale）、または喘鳴（stridor）を検出することができる。
【００３８】
フローセンサおよびＣＯ２ガスセンサなどのセンサが、いくつかの実施形態で含まれ、
その結果、呼吸困難の診断および処置にとって適切な容積測定ＣＯ２、容積測定Ｏ２、お
よび肺活量測定などのさらなる生理的測定値を、呼吸窮迫ＤＴＰスクリーン上に含み表示
することができる。酸素センサは、患者の気道内に配置することができ、患者の代謝需要
を計算するのを支援することができる。
【００３９】
除細動器２１２上のディスプレイは、本発明のいくつかの実施形態によれば、タッチス
クリーンである。介護者は、ダブルタップなどのタッチスクリーンジェスチャによってＣ
Ｏ２スナップショット波形または肺活量測定スナップショット波形などの上で容易に測定
を始動しうる。ズームアイコンは、ＣＯ２スナップショットなどの各波形ボックスの上角
に存在することができ、それにより、ズームボタンがタッチされると、その特定の波形が
除細動器のディスプレイを満たす。別の測定ボタンが存在し、別の測定ボタンは、タッチ
されると、本発明の実施形態に従って、特定の波形について全ての適切な測定値を表示す
る。ジャスチャインタフェースはタッチスクリーンの一部として設けられる。波形内の２
点を２本の指または指と親指を使用してタッチすること（「キャリパ(caliper)」測定ま
たはジャスチャと呼ぶこともできる）は、図１０に示すように測定値を、生理的データの
上に表示させるかつ／またはオーバレイさせることになる。たとえば、死腔ガス量、ＣＯ
ＰＤを示すフェーズＩＩおよびＩＩＩ、ならびに動脈ｐＣＯ２の推定値を、ＣＯ２波形測
定を始動した後にスクリーン上に示すことができる。
【００４０】
本発明の実施形態によれば、決定支援システムのタッチスクリーン部に通信可能に結合
したプロセッサは、表示される波信号の波形状を認識するか、かつ／または、表示される
画像のエッジを認識するように構成されて、キャリパタッチジャスチャの精度を改善する
ことができる。たとえば、ＥＣＧ波表示のＳＴ上昇を測定するまたは「ズームインする(z
oom in)」ためにキャリパジャスチャを使用した場合、決定支援システムは、ＥＣＧ波の
上部の真下をユーザの指の一方がタップする場合、ＥＣＧ波の上部を拡大ビューまたは選
択ビュー内に含むことをユーザが意図する可能性があることを認識するように構成するこ
とができる。さらに、決定支援システムは、タッチスクリーンを使用して測定点を個々に
拡大（ズーム）し調整する能力を可能にするように構成することができる。タップ／クリ
ックおよびドラッグ方法は、キャリパジャスチャを設定するように使用することができる
。たとえば、表示された波形の特定の部分上に絞り込むため、ユーザは、１点を押し、別
の点までドラッグして、キャリパジャスチャの終点を示すことができる。
【００４１】
特定の範囲外の測定値（specific out-of-range readings）は、赤で表示されうる、ま
たは、ボールド体フォントおよび／または点滅などの他のメカニズムによってハイライト
されうる。ハイライトされた値にタッチすることは、本発明の実施形態に従って、測定値
に応じた考えられる診断をディスプレイに示させることになる。スクリーンの特定のグラ
フィカルゾーンは、コンピュータタブレットのグラフィカル画像で指定されうる。波形、
測定値、またはディスプレイ上に示される任意の他のオブジェクトをコンピュータタブレ
ットアイコン上にドラッグすることによって、除細動器にリンクされるアイコンが、コン
ピュータタブレット上に自動的に提示されうる。
【００４２】
カプノグラフィは、喘息を評価するときに役立ち、呼気平坦域の傾斜の増加が、気管支
痙攣の尺度を提供する。平坦域フェーズ（フェーズＩＩＩ）の傾斜は、気道閉塞の尺度を
提供する。喘息憎悪についてのβ刺激薬気管支拡張性(β-agonist bronchodilatory)治療
の適切さを、フェーズＩＩＩの傾斜変化の観測によって監視することができる。
【００４３】
全ての目的でその全体を参照により本明細書に組込まれる、２０１１年７月１４日に公
開された米国特許出願公報第２０１１／０１７２５５０号で言及されるように、患者の履
歴についてのデータを、モニターによる患者生理的尺度と共にコンピュータタブレットに
よって入力することができる。鑑別診断は、患者履歴と患者検査所見の両方を、ＥＣＧ、
カプノグラフィ、およびパルスオキシメータのようなモニタリングによる患者の生理的状
態の尺度に結び付けることが多いため、これらのデータ要素は、統合されて、コンピュー
タタブレット上のアプリケーション内の単一の鑑別診断スクリーン上で種々のデータ要素
を自動的にまたは半自動的に統合するユーザインタフェースになる。インタフェースは、
一般的な主症状または患者による愁訴、たとえば呼吸困難または呼吸窮迫のリストから救
助者が選択するように求めることによって始まることができる。（Am Fam Physician 200
3;68:1803-10から得られた）図５、６、および７のスクリーンなどの上の情報は、救助者
が情報を得るための考えられる１つの構造化手法を提供する。患者履歴および医師検査所
見がコンピュータタブレット上で入力されるにつれて、鑑別診断ページは、考えられる診
断に徐々に絞られることになる。
【００４４】
別の実施形態では、除細動器は、図１１に示すように、除細動器上に統合された搭載機
能部によって、安定した位置で除細動器の上部にＡｐｐｌｅ（登録商標）のｉＰａｄ（登
録商標）などのコンピュータタブレットを立て掛けるためのドッキング機能部（docking 
feature）を含む。タブレットコンピュータ、ｉＰｈｏｎｅ（登録商標）、ｉＴｏｕｃｈ
（登録商標）、および他のタッチスクリーンモニターを含む他のモバイルコンピューティ
ングデバイスを使用することができる。代替的に、たとえば有線または無線ＵＳＢ接続に
よってコンピューティングデバイスへ／から情報を転送するような、低電力で電池駆動式
のタッチスクリーンモニターを使用することができる。通信を、２つのデバイス（たとえ
ば、医療デバイスとモバイルコンピューティングデバイス）の間で、無線で提供すること
ができる。他の通信可能結合、たとえば有線結合を、２つのデバイス間で達成することが
できる。ｉＰａｄは、入院前環境において遭遇する可能性がある典型的な物理的酷使から
ｉＰａｄを保護するために、保護ハウジングおよび／または防水ハウジングを含むことが
できる。こうしたｉＰａｄハウジングに統合された搭載機能部は、現場で除細動器の上部
に容易に取付けられることを可能にする。除細動器上の搭載機能部は、使用中でないとき
に、ｉＰａｄ（登録商標）が除細動器上の保護ポケットに入るように下に蝶番式に動くこ
とを可能にするよう蝶番式に動くことができる。ｉＰａｄ（登録商標）はまた、ドッキン
グ解除され、物理的接続なしで除細動器の近くで使用することができる。除細動器によっ
て充電された電池をｉＰａｄ（登録商標）が持つことを可能にする物理的スロットを、好
ましくはユニットの側部、上部、または背部に同様に設けることができる。ｉＰａｄ（登
録商標）保護ハウジングのフレームの内側には、標準的なｉＰａｄ（登録商標）コネクタ
があり、一方、ｉＰａｄ（登録商標）保護ハウジングのフレームの外側には、本発明の実
施形態による、入院前緊急事態状況において医療デバイスが受ける広範囲の酷使に耐えら
れるより一層頑健な機械的接続および電気的接続がある。
【００４５】
生理的データ、患者履歴、および検査所見のこの統合化解析の結果は、その後、おそら
くはさらなる生理的測定を行うよう求めるという形態で、除細動器上に表示することがで
きる。生理的データ、患者履歴、および検査所見のこの統合化解析の結果は、別法として
または付加的に、タブレットコンピュータ上に表示することができる。本発明のいくつか
の実施形態によれば、タブレットコンピュータまたは他のモバイルコンピューティングデ
バイスは、たとえば無線接続を通して除細動器または他の生理的評価デバイスに通信可能
に結合することができる。本明細書で使用されるように、「通信可能に結合する(communi
cably coupled)」は、任意の結合であって、それにより、情報を渡すことができる、任意
の結合を指すために、その最も広い意味で使用される。そのため、たとえば、通信可能に
結合することは、たとえばワイヤによって電気的に結合すること、たとえば光ケーブルに
よって光学的に結合すること、および／または、たとえば無線周波数または他の伝送媒体
によって無線で結合することを含む。「通信可能に結合する」はまた、たとえば、ネット
ワークを通したなどの間接的結合、または直接結合を含む。
【００４６】
本発明の実施形態によれば、ユーザインタフェースデバイスは、プロセッサに通信可能
に結合し、プロセッサは、ユーザインタフェースデバイスを介して入力されるデータなら
びに１つまたは複数のセンサから受信されるデータを受信して、両方のデータ供給源に基
づいて臨床決定支援を実施するように構成される。ユーザインタフェースデバイスは、タ
ッチスクリーンコンピュータ、タブレットコンピュータ、モバイルコンピューティングデ
バイス、スマートフォン、オーディオ受信機、オーディオ送信機、ビデオ受信機、ビデオ
送信機、カメラ、およびユーザの眼鏡またはフェイスシールド上に投影される「ヘッドア
ップ(head up)」ディスプレイなどの１つまたは複数のデバイスを含むことができる。小
型モニターを、眼鏡、フェイスシールド上に搭載することができる、かつ／または、たと
えばイヤーバッドまたはブルートゥース（登録商標）ハンズフリー電話アダプターなどの
他の装着可能な通信デバイスに統合することができる。ユーザインタフェースデバイスは
、オプションを伝達するためのデバイスおよび入力を受信するためのデバイスの組合せを
含むことができる。たとえば、オーディオスピーカは、考えられるＤＴＰを伝達するよう
に使用することができ、オーディオ受信機は、ＤＴＰのうちの１つのＤＴＰの選択を示す
口頭のコマンドを受信するように使用することができる。オーディオ受信機の代わりに、
ビデオカメラを使用して、考えられるＤＴＰまたは入力要素の１つの選択としてプロセッ
サによって解釈されることになるジェスチャコマンドを受信することができる。ユーザイ
ンタフェースデバイスのためにハンズフリーデバイスを使用することは、介護者のために
非侵入的決定支援および／または鑑別診断を依然として可能にしながら、臨床タスクを実
施するために介護者の手を自由にすることができる。
【００４７】
図８Ａおよび図８Ｂは、本発明の実施形態に従って、ユーザインタフェースデバイスを
使用するコンピュータプロセッサがそれを通して介護者を導くことができる鑑別診断およ
び／または臨床支援プロセスを示す。たとえば、介護者が図３のスクリーン上に提示され
る５つのＤＴＰの中から「呼吸窮迫」を選択した場合、ユーザインタフェースデバイスは
、上流から下流まで流れる図８のフローチャート内のステップ８０２に関する情報を入力
するよう介護者に促すことになる。ステップ８０２にて、１２誘導がＳ３心音を示す場合
、または、呼吸困難エンゲージメントスコアが３よりも大きい場合、決定支援システムは
、急性非代償性心不全(Decompensated Heart Failure)（ＣＨＦ）決定／診断プロセスを
通してユーザを導くことになる。
【００４８】
決定支援システムは、途中で提供される任意の表示および情報を更新しながら、フロー
チャート内の１つの決定点から次の決定点に介護者が遷移するのを助けるときに、センサ
から受信される生理的データと（たとえば、ｉＰａｄ（登録商標）などのモバイルコンピ
ューティングデバイスによって）介護者から受信される情報データの両方を考慮すること
ができる。たとえば、決定支援システムは、ＥＣＧデータの処理に基づいて、Ｓ３心音が
存在するように見えないことをユーザに示し、この評価を確認するよう介護者に求めるこ
とができる。決定支援システムは、同様にまたは別法として、呼吸困難エンゲージメント
スコアを入力するよう要求するか、または介護者による確認のためにそれを提案すること
ができる。ステップ８０２にて、１２誘導がＳ３心音を全く示さない場合、または、呼吸
困難エンゲージメントスコアが３未満である場合、決定支援システムは、介護者がＣＨＦ
状況に対処していないことを認識することになるが、その後、ステップ８０４に移動し、
ステップ８０４にて、決定支援システムは、その表示および／または入力プロンプトを変
更して、介護者が喘息処置パスに入るかＣＯＰＤ処置パスに入るかを判定するのを助ける
。
【００４９】
再び、決定支援システムは、介護者の決定を支援するのを助けるときに、センサからの
種々の生理的データならびに特定の患者に関して受信される種々の情報データを考慮する
ことができる。たとえば、図６に示すように、患者情報（介護者によって入力されるかま
たは別の情報源から得られる）が、患者が大量のタバコ使用に関わっていることを示す場
合、決定支援システムは、ステップ８０４にて、ＣＯＰＤの診断がより可能性があること
を認識することになり、一方、患者が咳を経験しているかまたは喘息の履歴を持っている
ことを、介護者が決定支援システムに示す場合、決定支援システムは、ステップ８０４に
て、喘息の診断がより可能性があることを認識する場合がある。図６において反映される
情報による診断支援に加えてまたはその代替として、決定支援システムは、生理的データ
を使用して所見を集めて介護者が適切な処置パスを決定するのを助けることができる。た
とえば、呼吸音(breathing or breath sound)センサが、処理されると、太鼓撥指形成、
樽状胸を示すデータまたは呼吸音の減少を生成する場合、決定支援システムは、ステップ
８０４にて、ＣＯＰＤ処置パスがより適切であることを認識することができ、一方、呼吸
音センサが、奇脈を示すデータを生成する場合、または、筋肉活動センサが副筋使用を示
す場合、決定支援システムは、ステップ８０４にて、喘息処置パスがより適切であること
を認識することができる。
【００５０】
本発明の実施形態によれば、決定支援システムは、たとえば統計的確率（図６および図
７のようなチャートおよびデータに基づく）または相対的尤度を示すことによって診断ま
たは処置パスを示唆または提案し、介護者による確認または最終選択を求めることができ
る。たとえば、ステップ８０４にて、決定支援システムが喘息診断の確認を受信する場合
、ユーザインタフェースデバイスは、たとえば喘息診断に固有の処置プロトコルを開始す
ることによって、介護者に提示される情報を変更することができる。ステップ８０６にて
、決定支援システムは、介護者が、患者の酸素供給部に加湿器を取付け、６〜９リットル
／分の供給源に接続されたネブライザーによって投与されたアトロベントの０．５ミリグ
ラムと混合されたアルブテロールの２．５ミリグラムを投与することを示唆することがで
き、また、心拍数がせいぜい１４０である限り、その用量を連続して投与することができ
ることを示すことができる。決定支援システムは、心拍数を監視し、心拍数がこの例では
１４０に達するかまたはそれに近づくとき、また、その場合、視覚および／またはオーデ
ィオ指示を与えることができる。
【００５１】
ステップ８０８にて、決定支援システムは、たとえば血液酸素含有量、呼吸数、または
呼吸量に関連するデータまたは測定値を示すことによって、患者が著しく気管支収縮して
いるかどうかを介護者が決定するのを助けることができる。ステップ８０８にて、患者が
著しく気管支収縮していることを介護者が確認すると、決定支援システムは、ゆっくりし
た（たとえば、２分の）経静脈プッシュにわたってソルメドロールの１２５ミリグラム用
量が投与されることを介護者に示唆することができる。ステップ８１０にて、決定支援シ
ステムは、患者の症状が改善したかどうか（たとえば、これまでの処置によって患者の息
切れが改善したかどうか）を介護者が判定するのを助けることができる。たとえば、決定
支援システムは、患者の呼気終末波形を表示および／または解析し、患者が処置に応答し
ているように見えないことを示唆し、介護者の確認を求めることができる。介護者がその
判定を確認する場合、決定支援システムは、さらなる処置オプション、たとえば図８に示
すオプションを通して介護者を案内し続けることができる。こうして、決定支援システム
は、臨床的受診中に、患者から集められるかまたは介護者によって入力される生理的デー
タと情報データの両方を使用して、決定支援システムがない場合、介護者が実施するのに
不都合過ぎるかまたは時間がかかり過ぎることになる方法で、複雑な意思決定プロセスを
通して介護者を案内する。
【００５２】
本発明の実施形態による決定支援を、完全に自動化することができるかまたは完全に自
動化することができない。ベイジアンネットワーク、ニューラルネットワーク、遺伝的ア
ルゴリズム、または単純なルールベースシステムを利用する推論エンジンを使用すること
ができる。
【００５３】
別の実施形態では、組織ＣＯ２およびｐＨは、舌下組織ＣＯ２センサを記載する米国特
許第６，０５５，４４７号、または、近赤外分光法(near infrared spectroscopy)（ＮＩ
ＲＳ）によって組織ｐＨを測定するための方法およびデバイスを記載する米国特許第５，
８１３，４０３号、第６，５６４，００８号、および第６，７６６，１８８号に記載され
るような方法によって測定される。これらの特許は全て、全ての目的でその全体を参照に
より本明細書に組込まれる。ＮＩＲＳ技術は、組織ＰＯ２、ＰＣＯ２、およびｐＨの同時
測定を可能にする。組織ｐＨを測定するための以前の方法の１つの欠点は、測定が、蘇生
の過程にわたって測定のシリーズにおいて実施される所与のベースライン測定について優
れた相対精度を提供したが、絶対精度は、皮膚色素などの患者固有のオフセットの結果と
して、それほど良くなかった。本発明のいくつかの実施形態によって達成される利益の１
つは、これらの測定の絶対精度についての必要性がなくなり、オフセットと利得だけに頼
ることが、蘇生の過程にわたって安定であることである。組織ＣＯ２およびｐＨは、外傷
ＤＴＰにおけるモニタリングで特に役立つ。外傷ＤＴＰについてのディスプレイ上の生理
的パラメータは、非侵襲的および侵襲的血圧、組織ＣＯ２およびｐＨ、ＥＣＧ、ＳｐＯ２
傾向表示、および心拍数変動リスク指数の１つまたは複数とすることができる。ＥＣＧが
解析されて、ＱＲＳ群の隣接するＲ波間の間隔を決定し、この間隔を使用して、隣接する
Ｒ−Ｒ間隔の間の継続的な差として心拍数変動を計算することができる。変動の突然の減
少が、患者の血圧の急激な低下に何分間も先行することが多いことが当業者に知られてい
る（外傷性停止）。心拍数変動の傾向を監視することによって、外傷性停止が予測され防
止されうる。
【００５４】
外傷ＤＴＰのために使用する別のセンサは、本発明の実施形態によれば、超音波である
。全ての目的でその全体を参照により、「シー．エルナンデス他「C.A.U.S.E：心停止超
音波試験−一次非催不整脈性心停止の患者を管理するための良好なアプローチ」蘇生法（
２００７）、doi:10.1016/j.resuscitation.200706.003（C. Hernandez et al「C.A.U.S.
E.: Cardiac arrest ultra-sound exam-A better approach to managing patients in pr
imary non-arrhythmogenic cardiac arrest」Resuscitation(2007),doi:10.1016/j.resus
citation.200706.003」が本明細書に組込まれる。
【００５５】
Ｃ．Ａ．Ｕ．Ｓ．Ｅ．は、その著者等によって開発された新しい手法である。Ｃ．Ａ．
Ｕ．Ｓ．Ｅ．プロトコルは、心停止の４つの主要な原因に対処し、これを、胸部の２つの
超音波検査透視図を使用することによって達成する。２つの超音波検査透視図とは、心臓
および心膜の四腔像ならびに両側的な鎖骨中央線における第２肋間空間のレベルにおける
肺および胸膜の前内側の像である。心臓および心膜の四腔像は、肋骨下、胸骨傍、または
心尖胸部窓を使用して得られる。これは、検査を実施する個人が、患者の解剖学的構造に
応じて最も適切な像を選択することを可能にする。著者等は、最初に肋骨下の像から始め
ることを推奨した、その理由は、この像が、胸部圧迫を妨げることなく、開業医が心臓を
評価することを可能にするからである。この像が可能でない場合、蘇生チームリーダが導
く協調的脈動チェック(coordinated pulse check)中に、心尖または胸骨傍アプローチを
使用することができる。四腔像は、このプロトコルで使用される。その理由は、四腔像が
、心腔間の比較を容易にし、血液量減少、大きな塊の肺塞栓(massive PE)、および心臓タ
ンポナーデの診断を容易にするからである（図６）。気胸は、鎖骨中央線の第２肋間空間
において矢状面を見ている間に、スライドサインおよびコメットテールアーチファクトの
欠如を識別することによって診断される（図７）。心臓の像と肺の像の両方の場合、２．
５〜５．０フェーズドアレイトランスジューサプローブを使用することが推奨される。こ
れは、検査者が、肺検査と、心臓検査と、必要である場合腹部検査の全てに同じプローブ
を使用することを可能にする。このタイプのプローブは、ナッドソン（Ｋｎｕｄｔｓｏｎ
）によって、ＦＡＳＴ検査に対する付加物として気胸を識別するという使用のための超音
波を含む彼の研究において使用され、また、気胸を検出するときに非常に高い精度をもた
らし、それでも依然として、心臓および腹部器官を識別するときに有用であるままであっ
た。プロトコルは、線図形態で最もよく述べられる［図１２参照］。
【００５６】
フローチャートの介護者選択要素は、超音波センサが起動され、画像がコンピュータタ
ブレット上に表示されることをもたらす。さらなる指令が、コンピュータタブレットおよ
び／または除細動器上のインタフェースから要求されうる。選択および指令に基づいて、
超音波の設定が、本発明の実施形態に従って、最適画像を送出するように調整されうる。
【００５７】
５つの診断および処置経路が、図３に関して論じられたが、鑑別診断／決定支援システ
ムは、他のＤＴＰに関する意思決定および診断を支援するように構成されることができ、
また、図３に示す５つおよび他のものの中から、１つまたは複数のＤＴＰの種々の組合せ
を表示し支援するように構成することができる。本発明の他の実施形態によれば、各ユー
ザは、各ＤＴＰオプションについて、カスタマイズされたＤＴＰを使用するように決定支
援システムを構成することができる。たとえば、ユーザは、外傷ＤＴＰについての質問／
ステップ／測定値のデフォルトシリーズを、介護者固有の、患者固有の、地理学固有の、
および／または規制固有の処置プロトコルに基づく質問／ステップ／測定値の新しいシリ
ーズと変更することができる。こうして、本発明の実施形態による決定支援システムは、
種々の種類のＤＴＰに対処する方法で、介護者のための意思決定および診断を案内するよ
うに動作する。
【００５８】
たとえば、ユーザが、図３のスクリーンから外傷ＤＴＰオプションを選択した場合、決
定支援システムは、図１３〜２５に示す経路と同様の決定および処置経路を通してユーザ
を案内するように構成することができる。ユーザは、その後、「切断損傷(amputation in
jury)」、「出血コントロール(bleeding control)」、「熱傷(burns)」、および同様なも
のなどの、さらなるオプションのシリーズを提示されることになる。これらのさらなるオ
プションの１つを選択することは、決定支援システムに、選択されたオプションに適切な
特定の１つまたは複数の経路に入り表示させることになる。本発明の実施形態によれば、
決定支援システムは、予め確立されたフローチャートに従って、決定のシリーズを通して
介護者を単に案内するように、医療デバイスあるいは１つまたは複数のセンサと独立のユ
ーザインタフェースデバイスによって構成される。基本レベルでは、除細動器などの医療
デバイスは、センサデータまたは他のデータ入力がある状態でまたはない状態で、種々の
決定を通して介護者を案内する、１つまたは複数の決定支援フローチャートおよび／また
は処置プロトコルを含むことができる。電子的にナビゲート可能なグラフィカルＤＴＰを
、参照文書として除細動器デバイス内に含むことができる。
【００５９】
他の実施形態によれば、決定支援システムは、介護者観測結果、患者情報、および／ま
たはセンサデータの組合せを通知される。評価および／またはスコア付けは、介護者から
データを受信すること、または、センサからデータを受信すること、あるいはその両方に
よって実施することができる。たとえば、外傷ＤＴＰの場合、決定支援システムは、脈拍
数、呼吸データ、定性的呼吸データ、失血、血圧、折れた手足および／または開放骨折の
存在を考慮することができる。または、心臓窮迫ＤＴＰでは、決定支援システムは、選択
された基準に基づいて決定支援システムによって計算されるかつ／または予測することが
できる、心停止確率を瞬時に表示するように構成することができる。決定支援システムは
また、処置結果確率を示唆する、たとえば、最も高いまたは知覚される高い成功確率を持
つ処置経路を示唆するために、一定の基準を追跡するように構成することができる。
【００６０】
本発明のいくつかの実施形態によれば、モニター、除細動器／モニターの組合せ、また
は、他の同様なデバイスは、認識される救助プロトコル、たとえば、本明細書で述べられ
るかつ／または示されるプロトコルの１つまたは複数に従うように、モニターを構成する
グラフィカルツールを提供するように構成することができる。こうしたツールは、本発明
の実施形態に従って、モニターまたは除細動器デバイス上に、タブレットか、手持ち式か
、または他のコンピューティングデバイス上に、および／または、その両方の上に含むこ
とができる。こうしたツール、たとえばフローチャートは、グラフィカルインタフェース
に設けることができる。ツールは、たとえばプロトコル用のフローチャートを視覚的に提
示し、ユーザがプロトコルをカスタマイズすることを可能にすることによって、ユーザが
特定の救助プロトコルに従うように患者モニターを構成することを可能にする。たとえば
、ＣＰＲ期間の長さは、処置プロトコルをカスタマイズするためにユーザによって構成す
ることができる。こうしたツールはまた、モニタリングデバイスへのおよび／またはそこ
からのカスタマイズされた処置プロトコルのダウンロードおよびアップロードを可能にし
、そのことは、カスタマイズされた同じプロトコル設定が、本発明の実施形態に従って、
異なる場所でおよび／または異なる時間に、モバイルデバイス上で実施される、かつ／ま
たは、複数の他のデバイスに転送またはアップロードされることを可能にする場合がある
。
【００６１】
種々の変更および追加が、本発明の範囲から逸脱することなく、論じた例示的な実施形
態に対して行われうる。たとえば、上述した実施形態が特定の特徴を参照するが、本発明
の範囲はまた、特徴の異なる組合せを有する実施形態および述べた特徴の全てを含まない
実施形態を含む。したがって、本発明の範囲は、特許請求項の範囲内に入る全てのこうし
た代替物、変更物、および変形物を、その全ての等価物と共に包含することを意図される
。
【図１】
2018060559.tif 000003
【図２】
2018060559.tif 000004
【図３】
2018060559.tif 000005
【図４】
2018060559.tif 000006
【図５】
2018060559.tif 000007
【図６】
2018060559.tif 000008
【図７】
2018060559.tif 000009
【図８Ａ】
2018060559.tif 000010
【図８Ｂ】
2018060559.tif 000011
【図９】
2018060559.tif 000012
【図１０】
2018060559.tif 000013
【図１１】
2018060559.tif 000014
【図１２】
2018060559.tif 000015
【図１３】
2018060559.tif 000016
【図１４】
2018060559.tif 000017
【図１５】
2018060559.tif 000018
【図１６】
2018060559.tif 000019
【図１７】
2018060559.tif 000020
【図１８】
2018060559.tif 000021
【図１９】
2018060559.tif 000022
【図２０】
2018060559.tif 000023
【図２１】
2018060559.tif 000024
【図２２】
2018060559.tif 000025
【図２３】
2018060559.tif 000026
【図２４】
2018060559.tif 000027
【図２５】
2018060559.tif 000028
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
患者に急性期蘇生介護を提供するための除細動システムであって、
前記患者に治療処置を提供する除細動器と、
前記除細動器に通信可能に結合されたモバイルコンピューティングデバイスと、を備え、
前記除細動器は、
前記患者の生理学的測定値を示す入力信号を受信する前記除細動器に対する少なくとも１つのセンサ入力と、
前記除細動器上に前記モバイルコンピューティングデバイスを取り付けるためのドックであり、前記ドックは、前記モバイルコンピューティングデバイスを前記除細動器上の安定ポジションに維持する機械サポートを提供する、前記ドックと、
少なくとも１つの除細動器プロセッサであり、
前記患者の前記生理学的測定値を示す前記入力信号を受信し、処理し、
前記患者の前記生理学的測定値を示す前記入力信号に基づいて生理パラメータに関するデータを生成し、
前記生理パラメータに関する生成された前記データを前記モバイルコンピューティングデバイスに送信する、前記少なくとも１つの除細動器プロセッサと、を含み、
前記モバイルコンピューティングデバイスは、
タッチ入力に基づいて表示を提供するタッチスクリーンを含むユーザインタフェースと、
少なくとも１つのモバイルコンピューティングプロセッサであり、
前記除細動器からの前記生理パラメータに関する前記データを受信し、処理し、
前記ユーザインタフェースに、前記生理パラメータに関する前記データに基づいて視覚情報を表示させ、
前記タッチスクリーンからのタッチ入力を受信し、処理して、タッチ信号を生成し、
前記ユーザインタフェースに、前記タッチ信号に基づいて視覚表示を変更させる、前記少なくとも１つのモバイルコンピューティングプロセッサと、を含む、
除細動システム。
【請求項２】
前記ドックは、前記除細動器上で前記モバイルコンピューティングデバイスを支える、請求項１に記載の除細動システム。
【請求項３】
前記ドック及び前記モバイルコンピューティングデバイスは、それぞれ、互いに相補的な取り付けフィーチャを有する、請求項１又は２に記載の除細動システム。
【請求項４】
前記ドック及び前記モバイルコンピューティングデバイスの前記取り付けフィーチャは、前記モバイルコンピューティングデバイス及び前記除細動器の間でアタッチメントを形成する、請求項３に記載の除細動システム。
【請求項５】
前記ドックは、前記モバイルコンピューティングデバイスの前記取り付けフィーチャを受けるためのスロットを含む、請求項３又は４に記載の除細動システム。
【請求項６】
前記モバイルコンピューティングデバイスは、コンピュータタブレット及び電話のうちの少なくとも１つを含む、請求項１から５のいずれか一項に記載の除細動システム。
【請求項７】
前記除細動器及び前記モバイルコンピューティングデバイスは、無線接続を介して互いに通信する、請求項１から６のいずれか一項に記載の除細動システム。
【請求項８】
前記除細動器及び前記モバイルコンピューティングデバイスは、有線接続を介して互いに通信する、請求項１から７のいずれか一項に記載の除細動システム。
【請求項９】
前記モバイルコンピューティングデバイスは、外部保護ハウジングを含む、請求項１から８のいずれか一項に記載の除細動システム。
【請求項１０】
前記ドックは、前記モバイルコンピューティングデバイスが前記除細動器上に取り付けられると、前記モバイルコンピューティングデバイスに電力を提供する、請求項１から９のいずれか一項に記載の除細動システム。
【請求項１１】
前記除細動器に対する前記少なくとも１つのセンサ入力は、ＥＣＧセンサ入力、ＳｐＯ２センサ入力、近赤外線センサ入力、組織潅流センサ入力、ｐＨセンサ入力、超音波センサ入力、換気流量センサ入力、ＥｔＣＯ２センサ入力、侵襲的血圧センサ入力、非侵襲的血圧センサ入力、血糖モニタ入力、気道酸素センサ入力のうちの少なくとも１つを含む、請求項１から１０のいずれか一項に記載の除細動システム。
【請求項１２】
前記少なくとも１つのモバイルコンピューティングプロセッサは、前記ユーザインタフェースに、ユーザに対して２又はそれより多くの可能な入力要素を提示して、患者のうちの少なくとも１人のクラス、潜在的なワークフロー、並びに診断及び治療経路の間から選択させる、請求項１から１１のいずれか一項に記載の除細動システム。
【請求項１３】
前記少なくとも１つのモバイルコンピューティングプロセッサは、前記２又はそれより多くの可能な入力要素の中からのユーザ選択に基づいて選択された入力を受信する、請求項１２に記載の除細動システム。
【請求項１４】
前記少なくとも１つのモバイルコンピューティングプロセッサは、前記ユーザインタフェースに、選択された前記患者のうちの少なくとも１人のクラス、潜在的なワークフロー、並びに診断及び治療経路に少なくとも部分的に基づいて、テンプレートに従って、生理学的データを提示させる、請求項１３に記載の除細動システム。
【請求項１５】
前記少なくとも１つのモバイルコンピューティングプロセッサは、前記ユーザインタフェースに、選択された前記患者のうちの少なくとも１人のクラス、潜在的なワークフロー、並びに診断及び治療経路に少なくとも部分的に基づいて、どの生理学的データが提示されるかに従って、前記テンプレートをカスタマイズさせる、請求項１４に記載の除細動システム。
【請求項１６】
選択される前記患者のクラス、潜在的なワークフロー、及び診断及び治療経路は、
呼吸窮迫又は呼吸困難、
外傷、
心臓窮迫、
精神状態変化、及び
痛み又は異常神経知覚、
のうちの少なくとも１つを含む、請求項１５に記載の除細動システム。
【請求項１７】
前記少なくとも１つのモバイルコンピューティングプロセッサは、前記ユーザインタフェースによって受信されるタッチ入力を受信し、処理して、同時に前記タッチスクリーン上の２点のタッチングから提供され、前記タッチスクリーンによって提示される情報を操作するものとして、前記タッチ入力を識別するカリパスジェスチャ信号を生成する、請求項１から１６のいずれか一項に記載の除細動システム。
【請求項１８】
前記少なくとも１つのモバイルコンピューティングプロセッサは、前記ユーザインタフェースに、前記カリパスジェスチャ信号に基づいて前記視覚表示を変更させる、請求項１７に記載の除細動システム。
【請求項１９】
前記少なくとも１つのモバイルコンピューティングプロセッサは、前記タッチスクリーンによって受信されるタッチ入力を受信し、処理して、前記タッチスクリーン上に表示される視覚的オブジェクトの選択及び前記選択された視覚的オブジェクトを前記タッチスクリーン上の予め定められたグラフィック領域にドラッグすることを示すタッチ信号を生成する、請求項１から１８のいずれか一項に記載の除細動システム。
【請求項２０】
前記少なくとも１つのモバイルコンピューティングプロセッサは、前記選択された視覚的オブジェクトによって表されるデータを表示するために、前記選択された視覚的オブジェクトによって表される前記データを別個のコンピューティングデバイスに送信する、請求項１９に記載の除細動システム。
【請求項２１】
前記除細動器は、タッチ入力に基づく表示を提供するタッチスクリーンを含む、請求項１から２０のいずれか一項に記載の除細動システム。